(57)【要約】  【課題】特定のＣＭの視聴率向上に偏ることなく、視聴者のＣＭの視聴頻度に応じて特典映像を見せることでＣＭ視聴率を全体的に上げることを目的にする。  【解決手段】  本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信し、内容を解析して、ＣＭ再生検出情報とストリーム切り替え検出情報とを抽出し、ＣＭ再生検出情報を検出すると、ＣＭの視聴回数が記録されるＣＭ視聴履歴を作成し、ストリーム切り替え検出情報を検出すると、視聴回数に対応して特典映像ストリームを指定する特典映像リストから当該特典映像ストリームを選択し、再生する。【選択図】図２
2005204233.tif 000002
【特許請求の範囲】
【請求項１】
デジタル放送において、映像、音声、データを受信するデジタル放送受信装置であって、
本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信するストリーム受信手段と、
前記ストリーム受信手段で受信したストリームから、前記ＣＭ再生検出情報と、前記ストリーム切り替え検出情報とを抽出するＴＳ解析手段と、
前記ＣＭ再生検出情報を検出すると、ＣＭの視聴回数が記録されるＣＭ視聴履歴を作成する視聴履歴作成手段と、
前記ストリーム切り替え検出情報を検出すると、前記視聴回数に対応して特典映像ストリームを指定する特典映像リストから当該特典映像ストリームを選択し、再生するストリーム選択手段と、
を備えることを特徴とするデジタル放送受信装置。
【請求項２】
前記特典映像リストは、前記ストリーム切り替え検出情報に含まれることを特徴とする請求項１に記載のデジタル放送受信装置。
【請求項３】
前記特典映像リストは、外部記憶メモリ、又は通信により取得されることを特徴とする請求項１に記載のデジタル放送受信装置。
【請求項４】
前記ＣＭ視聴履歴には、前記ＣＭ再生検出情報の受信時刻も含まれ、
前記視聴履歴作成手段は、前記ＣＭ再生検出情報と、当該ＣＭ再生検出情報の受信時刻とから前記ＣＭ視聴履歴を作成することを特徴とする請求項１に記載のデジタル放送受信装置。
【請求項５】
前記ＣＭ再生検出情報には、ＣＭのスポンサーを識別するスポンサー識別子が含まれ、
前記視聴履歴作成手段は、スポンサー識別子毎に前記ＣＭ視聴履歴を作成することを特徴とする請求項１に記載のデジタル放送受信装置。
【請求項６】
さらに、番組ストリームは特典映像を選択するための視聴者ニーズを入力するタイミングを示唆する視聴者ニーズ入力検出情報を含み、本編ストリーム再生中に前記視聴者ニーズ入力検出情報を検知すると、視聴者がニーズを入力するための手段を提供する視聴者ニーズ入力手段を備え、
前記ストリーム選択手段は、前記ストリーム切り替え検出情報を検出すると、前記視聴回数と前記視聴者ニーズ入力検出情報に対応して特典映像ストリームを指定する特典映像リストから当該特典映像ストリームを選択し、再生することを特徴とする請求項１に記載のデジタル放送受信装置。
【請求項７】
前記ＣＭ再生検出情報は、ＣＭストリームに同期して、一定間隔毎に存在することを特徴とする請求項１に記載のデジタル放送受信装置。
【請求項８】
前記ストリーム切り替え検出情報は、特典映像ストリームに同期して、特典映像ストリームの開始時に存在することを特徴とする請求項１に記載のデジタル放送受信装置。
【請求項９】
前記視聴者ニーズ入力検出情報は、本編ストリームに同期して、本編ストリームのある一定区間内において存在することを特徴とする請求項６に記載のデジタル放送受信装置。
【請求項１０】
前記ストリーム受信手段が受信した、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを録画する録画手段と、
該録画手段が録画したストリームを読み出すストリーム読み出し手段とを備え、
前記ＴＳ解析手段は、前記ストリーム読み出し手段で読み出したストリームから、前記ＣＭ再生検出情報と、前記ストリーム切り替え検出情報とを抽出することを特徴とする請求項１に記載のデジタル放送受信装置。
【請求項１１】
デジタル放送において、映像、音声、データを録画する録画再生装置であって、
本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出すストリーム読み出し手段と、
前記ストリーム読み出し手段で読み出したストリームから、前記ＣＭ再生検出情報と、前記ストリーム切り替え検出情報とを抽出するＴＳ解析手段と、
前記ＣＭ再生検出情報を検出すると、ＣＭの視聴回数が記録されるＣＭ視聴履歴を作成する視聴履歴作成手段と、
前記ストリーム切り替え検出情報を検出すると、前記視聴回数に対応して特典映像ストリームを指定する特典映像リストから当該特典映像ストリームを選択し、再生するストリーム選択手段と、
を備えることを特徴とする録画再生装置。
【請求項１２】
デジタル放送において、映像、音声、データを受信するデジタル放送受信方法であって、
本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信するストリーム受信ステップと、
前記受信した内容を解析して、ストリームから、前記ＣＭ再生検出情報と、前記ストリーム切り替え検出情報とを抽出するＴＳ解析ステップと、
前記ＣＭ再生検出情報を検出すると、ＣＭの視聴回数が記録されるＣＭ視聴履歴を作成する視聴履歴作成ステップと、
前記ストリーム切り替え検出情報を検出すると、前記視聴回数に対応して特典映像ストリームを指定する特典映像リストから当該特典映像ストリームを選択し、再生するストリーム選択ステップと、
を備えることを特徴とするデジタル放送受信方法。
【請求項１３】
デジタル放送において、映像、音声、データを受信するデジタル放送受信装置に、
本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信するストリーム受信ステップと、
前記受信した内容を解析して、ストリームから、前記ＣＭ再生検出情報と、前記ストリーム切り替え検出情報とを抽出するＴＳ解析ステップと、
前記ＣＭ再生検出情報を検出すると、ＣＭの視聴回数が記録されるＣＭ視聴履歴を作成する視聴履歴作成ステップと、
前記ストリーム切り替え検出情報を検出すると、前記視聴回数に対応して特典映像ストリームを指定する特典映像リストから当該特典映像ストリームを選択し、再生するストリーム選択ステップと、
を実行させることを特徴とするプログラム。
【請求項１４】
前記請求項１３に記載のプログラムが格納されたことを特徴とする読み取り自在の記録媒体。
【請求項１５】
デジタル放送において、映像、音声、データを録画する録画再生方法であって、
本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出すストリーム読み出しステップと、
前記読み出したストリームから、前記ＣＭ再生検出情報と、前記ストリーム切り替え検出情報とを抽出するＴＳ解析ステップと、
前記ＣＭ再生検出情報を検出すると、ＣＭの視聴回数が記録されるＣＭ視聴履歴を作成する視聴履歴作成ステップと、
前記ストリーム切り替え検出情報を検出すると、前記視聴回数に対応して特典映像ストリームを指定する特典映像リストから当該特典映像ストリームを選択し、再生するストリーム選択ステップと、
を備えることを特徴とする録画再生方法。
【請求項１６】
デジタル放送において、映像、音声、データを録画する録画再生装置に、
本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出すストリーム読み出しステップと、
前記読み出したストリームから、前記ＣＭ再生検出情報と、前記ストリーム切り替え検出情報とを抽出するＴＳ解析ステップと、
前記ＣＭ再生検出情報を検出すると、ＣＭの視聴回数が記録されるＣＭ視聴履歴を作成する視聴履歴作成ステップと、
前記ストリーム切り替え検出情報を検出すると、前記視聴回数に対応して特典映像ストリームを指定する特典映像リストから当該特典映像ストリームを選択し、再生するストリーム選択ステップと、
を実行させることを特徴とするプログラム。
【請求項１７】
本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを送信することを特徴とするデジタル放送送信装置。
【発明の詳細な説明】
【技術分野】
【０００１】
本発明は、デジタル放送において、映像、音声、データを受信するデジタル放送受信装置、デジタル放送送信装置、受信方法、プログラム、記録媒体および録画再生装置に関する。
【背景技術】
【０００２】
番組とＣＭが相互に放送される地上波放送局のように、視聴者から視聴料金を徴収しない放送局にとって、ＣＭ放送は大きな収入源となっている。通常、視聴率の高い番組内にＣＭが放送されると、ＣＭの視聴率も高いと考えられるため、ＣＭ放送料金は視聴率が高い番組に放送される場合、高く設定され、スポンサーはゴールデンタイムや、視聴率の高い番組でのＣＭ放送に対して高価な放送料金を支払っている。
しかし、ＣＭは、放送局側から一方的に放送されるものであるので、視聴者は、興味のないＣＭが放送された場合などは、ザッピングを行ったり、あるいは、番組を録画したり、録画した番組を再生するときに、ＣＭをスキップすることが行われてきた。
このように、視聴者がＣＭを視聴しないということは、放送局側にとって、貴重な収入源が減少するおそれがある。
【０００３】
そこで、視聴者のＣＭ離れを防止する装置および方法が開示されている（例えば、特許文献１、２、３参照）。
【特許文献１】特開２００２−１２５１６６号公報
【特許文献２】特開２００３−１４３４９８号公報
【特許文献３】特開２００３−１０８８６６号公報
【０００４】
特許文献１に記載された発明は、視聴者の属性に基づき視聴者に最適なＣＭを放送するものであり、特許文献２に記載された発明は、同様に視聴者の視聴者ニーズに応じたＣＭを放送するものである。また、特許文献３に記載された発明は、視聴者のニーズに応じた最適な商品を提供するように、ＣＭ放送に代わる新しい広告手法を導入したものである。
【発明の開示】
【発明が解決しようとする課題】
【０００５】
しかしながら、特許文献１、２、３によるものは、予め入力された視聴者の属性、視聴者ニーズ、ニーズ等に対応して最適なＣＭを放送等するものであるので、興味のないＣＭについては、依然として、ザッピングやスキップという問題は残っている。
よって、特定のＣＭについて視聴率は上がるかも知れないが、全体的にＣＭの視聴率を上げるものではない。
なお、特許文献１には、視聴者による視聴回数を電話回線等の通信手段を用いて把握し、視聴回数に応じた広告料金の課金を可能にすることが記載されているが、視聴回数に基づいて視聴者のＣＭ離れを直接防止するものではない。
【０００６】
そこで本発明は、特定のＣＭの視聴率向上に偏ることなく、視聴者のＣＭの視聴頻度に応じて特典映像を見せることでＣＭ視聴率を全体的に上げることを目的にする。
【課題を解決するための手段】
【０００７】
前記従来の課題を解決するために、本発明は、デジタル放送において、映像、音声、データを受信するデジタル放送受信装置であって、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信するストリーム受信手段と、前記ストリーム受信手段で受信したストリームから、前記ＣＭ再生検出情報と、前記ストリーム切り替え検出情報とを抽出するＴＳ解析手段と、前記ＣＭ再生検出情報を検出すると、ＣＭの視聴回数が記録されるＣＭ視聴履歴を作成する視聴履歴作成手段と、前記ストリーム切り替え検出情報を検出すると、前記視聴回数に対応して特典映像ストリームを指定する特典映像リストから当該特典映像ストリームを選択し、再生するストリーム選択手段と、を備えることを特徴とする。
【０００８】
また、本発明は、前記特典映像リストは、前記ストリーム切り替え検出情報に含まれることを特徴とする。
【０００９】
さらに、本発明は、前記特典映像リストは、外部記憶メモリ、又は通信により取得されることを特徴とする。
【００１０】
また、本発明は、前記ＣＭ視聴履歴には、前記ＣＭ再生検出情報の受信時刻も含まれ、前記視聴履歴作成手段は、前記ＣＭ再生検出情報と、当該ＣＭ再生検出情報の受信時刻とから前記ＣＭ視聴履歴を作成することを特徴とする。
【００１１】
また、本発明は、前記ＣＭ再生検出情報には、ＣＭのスポンサーを識別するスポンサー識別子が含まれ、前記視聴履歴作成手段は、スポンサー識別子毎に前記ＣＭ視聴履歴を作成することを特徴とする。
【００１２】
また、本発明は、さらに、番組ストリームは特典映像を選択するための視聴者ニーズを入力するタイミングを示唆する視聴者ニーズ入力検出情報を含み、本編ストリーム再生中に前記視聴者ニーズ入力検出情報を検知すると、視聴者がニーズを入力するための手段を提供する視聴者ニーズ入力手段を備え、前記ストリーム選択手段は、前記ストリーム切り替え検出情報を検出すると、前記視聴回数と前記視聴者ニーズ入力検出情報に対応して特典映像ストリームを指定する特典映像リストから当該特典映像ストリームを選択し、再生することを特徴とする。
【００１３】
また、本発明は、前記ＣＭ再生検出情報は、ＣＭストリームに同期して、一定間隔毎に存在することを特徴とする。
【００１４】
また、本発明は、前記ストリーム切り替え検出情報は、特典映像ストリームに同期して、特典映像ストリームの開始時に存在することを特徴とする。
【００１５】
また、本発明は、前記視聴者ニーズ入力検出情報は、本編ストリームに同期して、本編ストリームのある一定区間内において存在することを特徴とする。
【００１６】
また、本発明は、前記ストリーム受信手段が受信した、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを録画する録画手段と、該録画手段が録画したストリームを読み出すストリーム読み出し手段とを備え、前記ＴＳ解析手段は、前記ストリーム読み出し手段で読み出したストリームから、前記ＣＭ再生検出情報と、前記ストリーム切り替え検出情報とを抽出することを特徴とする。
【００１７】
また、本発明は、デジタル放送において、映像、音声、データを録画する録画再生装置であって、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出すストリーム読み出し手段と、前記ストリーム読み出し手段で読み出したストリームから、前記ＣＭ再生検出情報と、前記ストリーム切り替え検出情報とを抽出するＴＳ解析手段と、前記ＣＭ再生検出情報を検出すると、ＣＭの視聴回数が記録されるＣＭ視聴履歴を作成する視聴履歴作成手段と、前記ストリーム切り替え検出情報を検出すると、前記視聴回数に対応して特典映像ストリームを指定する特典映像リストから当該特典映像ストリームを選択し、再生するストリーム選択手段と、を備えることを特徴とする。
【００１８】
また、本発明は、デジタル放送において、映像、音声、データを受信するデジタル放送受信方法であって、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信するストリーム受信ステップと、前記受信した内容を解析して、ストリームから、前記ＣＭ再生検出情報と、前記ストリーム切り替え検出情報とを抽出するＴＳ解析ステップと、前記ＣＭ再生検出情報を検出すると、ＣＭの視聴回数が記録されるＣＭ視聴履歴を作成する視聴履歴作成ステップと、前記ストリーム切り替え検出情報を検出すると、前記視聴回数に対応して特典映像ストリームを指定する特典映像リストから当該特典映像ストリームを選択し、再生するストリーム選択ステップと、を備えることを特徴とする。
【００１９】
また、本発明は、デジタル放送において、映像、音声、データを受信するデジタル放送受信装置に、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信するストリーム受信ステップと、前記受信した内容を解析して、ストリームから、前記ＣＭ再生検出情報と、前記ストリーム切り替え検出情報とを抽出するＴＳ解析ステップと、前記ＣＭ再生検出情報を検出すると、ＣＭの視聴回数が記録されるＣＭ視聴履歴を作成する視聴履歴作成ステップと、前記ストリーム切り替え検出情報を検出すると、前記視聴回数に対応して特典映像ストリームを指定する特典映像リストから当該特典映像ストリームを選択し、再生するストリーム選択ステップと、を実行させることを特徴とするプログラムである。
また、本発明は、そのプログラムが格納されたことを特徴とする読み取り自在の記録媒体である。
【００２０】
また、本発明は、デジタル放送において、映像、音声、データを録画する録画再生方法であって、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出すストリーム読み出しステップと、前記読み出したストリームから、前記ＣＭ再生検出情報と、前記ストリーム切り替え検出情報とを抽出するＴＳ解析ステップと、前記ＣＭ再生検出情報を検出すると、ＣＭの視聴回数が記録されるＣＭ視聴履歴を作成する視聴履歴作成ステップと、前記ストリーム切り替え検出情報を検出すると、前記視聴回数に対応して特典映像ストリームを指定する特典映像リストから当該特典映像ストリームを選択し、再生するストリーム選択ステップと、を備えることを特徴とする。
【００２１】
また、本発明は、デジタル放送において、映像、音声、データを録画する録画再生装置に、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出すストリーム読み出しステップと、前記読み出したストリームから、前記ＣＭ再生検出情報と、前記ストリーム切り替え検出情報とを抽出するＴＳ解析ステップと、前記ＣＭ再生検出情報を検出すると、ＣＭの視聴回数が記録されるＣＭ視聴履歴を作成する視聴履歴作成ステップと、前記ストリーム切り替え検出情報を検出すると、前記視聴回数に対応して特典映像ストリームを指定する特典映像リストから当該特典映像ストリームを選択し、再生するストリーム選択ステップと、を実行させることを特徴とするプログラムである。
【００２２】
また、本発明は、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを送信することを特徴とする。
【発明の効果】
【００２３】
本発明によれば、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信してその内容を解析し、ＣＭ再生検出情報を検出すると、ＣＭの視聴回数が記録されるＣＭ視聴履歴を作成し、ストリーム切り替え検出情報を検出すると、前記視聴回数に対応して特典映像ストリームを指定する特典映像リストから当該特典映像ストリームを選択し、再生するので、視聴者がＣＭを視聴すればするほど、視聴者にとって嬉しい特典映像を提供することによって、視聴者のＣＭ離れを阻止することができる。
また、本発明によれば、視聴者は、特典映像ストリームを視聴するためには、ＣＭの種類に関係なく、ＣＭを視聴するようになるので、特定のＣＭの視聴率向上に偏ることなく、ＣＭ視聴率を全体的に上げることができる。
【００２４】
また、本発明によれば、特典映像リストを、外部記憶メモリや通信により外部から取得することもできるので、特典映像リストを記録したＣＤなど記録媒体を雑誌の付録につけて販売したり、特典映像リストをネット経由で入手することによって、視聴者のニーズに合った多くの特典映像を提供することができ、視聴者が希望する特典映像を見るためにＣＭを視聴することにより、さらにＣＭ視聴率をあげることが可能となる。
さらに、本発明によれば、ＣＭ再生検出情報の受信時刻についてもＣＭ視聴履歴として作成することができるので、古いデータを削除することも容易に行うことができる。
【００２５】
また、本発明によれば、ＣＭ視聴履歴の視聴回数だけでなく、これに視聴者の視聴者ニーズ入力検出情報についても加えて、それらに応じて特典映像ストリームを再生しうるようにしたので、視聴者にとって視聴者ニーズに沿った嬉しい特典映像が与えられるので、視聴者のＣＭ離れをより一層阻止することができる
【００２６】
また、本発明によれば、録画再生装置によって番組ストリームを再生するときに、視聴者がＣＭを早送りした場合には、ＣＭ再生検出情報は検出されず、ＣＭ視聴履歴は更新されないので、その結果、付加価値の高い特典映像ストリームを視聴者は視聴することができなくなる。したがって、視聴者によるＣＭ早送りを防止することによりＣＭ離れをより阻止することができる。
【発明を実施するための最良の形態】
【００２７】
（実施の形態１）
本発明の実施の形態１について、図１乃至図１２を参照しながら説明する。
本発明の実施の形態１に係るデジタル放送受信装置及び受信方法は、各テレビ局から送信されるデジタル放送において、映像、音声、データを受信するものである。テレビ局側に設けられたデジタル放送送信装置から、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリーム（ＴＳ）が送信される。そして、デジタル放送受信側では、図１（ａ）に示すように、ａ−１，ａ−３，ａ−５の時間帯に設けられた本編ストリームとａ−２，ａ−４の時間帯に設けられたＣＭストリームで構成される番組Ａにおいて、本編終了後にストリーム切り替え検出情報がきたときに、ＣＭの視聴頻度に対応して特典映像としてストリームＡ，Ｂ，Ｃの中からストリームを選択して再生するものである。ストリームＡ，Ｂ，Ｃはａ−６の時間帯に設けられる。特典映像としては本編（番組）又はＣＭに関連した映像があり、番組に関連した映像では、例えば、ドラマでは、出演者に関するお宝映像，ドラマに出てくるお店や小物のショッピング情報（番組づくりで協賛しているスポンサーに連携した情報），スポーツ中継では、お気に入りチームの情報や選手のインタビュー映像，ニュースでは、視聴者が指定したニュースの多角的な視点にたった詳細映像などがあげられ、また、ＣＭに関連した映像では、例えば、スポンサーからのプレゼント応募映像，視聴者のニーズによる詳細なＣＭ映像，スポンサーのサービス享受権利取得映像などがあげられる。
なお、送信システムとしては、例えば、ＭＰＥＧ−２方式多重方式が採用され、そのＭＰＥＧ−２方式多重方式で規定されているトランスポートストリーム（ＴＳ）と呼ばれる信号が使用されている。トランスポートストリームは、一本のストリームの中に複数のプログラムを構成することができ、誤りの起こる可能性のある伝送路を想定して設計されているため、劣悪な伝送路も考慮する必要があるテレビ放送に多く適用されている。その実用例としては、スカイパーフェクＴＶやＤｉｒｅｃＴＶ，ＢＳディジタル放送，米国のＤＶＴなどがあげられる。
【００２８】
本発明の実施の形態１に係るデジタル放送受信装置は、図２に示すように、ストリーム受信手段２０１，ＴＳデコード手段２０２，ＡＶデコード手段２０３，出力手段２０４，視聴履歴作成手段（ＣＭ視聴履歴作成手段）２０５，ストリーム選択手段２０６，再生ストリームリスト取得手段２０７，視聴履歴が格納された視聴履歴記憶手段２０８，再生ストリームリスト（特典映像リスト）が格納された再生ストリームリスト記憶手段２０９から構成されている。
【００２９】
ストリーム受信手段２０１は、番組の一部が複数の特典映像ストリーム（本実施形態の場合、３つのストリームＡ，Ｂ，Ｃ）で構成される番組ストリームと、特典映像ストリームに切り替えるタイミングを示すストリーム切り替え検出情報と、ＣＭ再生を特定するＣＭ再生検出情報を受信する。ＣＭ再生検出情報を受信することによって、視聴者が対応するＣＭを視聴したことを確認することができる。
【００３０】
ＴＳデコード手段２０２は、ＴＳ（トランスポートストリーム）データをデコードして、デコードしたＴＳの内容を解析するものであり、ストリーム受信手段２０１が受信したストリームからＣＭ再生検出情報と、ストリーム切り替え検出情報とを抽出する。また、ＴＳデコード手段２０２は、ＴＳ（トランスポートストリーム）内の映像および／または音声を含むパケットを再生し、ＡＶデコード手段２０３へ出力する。ＡＶデコード手段２０３は、再生されたパケットを出力用の映像および／または音声に変換し、出力手段２０４に出力する。出力手段２０４はモニタおよびスピーカからなり、ストリームを再生する。
【００３１】
視聴履歴作成手段２０５は、ＴＳデコード手段２０２が解析したストリームから、ＣＭ再生検出情報を検出すると、ＣＭの視聴回数が記録されるＣＭ視聴履歴を作成し、視聴履歴記憶手段２０８に格納する。
【００３２】
ストリーム選択手段２０６は、ＴＳデコード手段２０２が解析したストリームから、ストリーム切り替え検出情報を検出すると、視聴履歴記憶手段２０８に格納されたＣＭ視聴履歴の視聴回数に対応して、特典映像ストリームを指定する、再生ストリームリスト記憶手段２０９に格納された再生ストリームリスト（特典映像リスト）から当該特典映像ストリームを選択し、再生する。ストリーム選択手段２０６は、選択された特典映像ストリームの映像および／または音声を含むパケットに、ＴＳデコード手段２０２からＡＶデコード手段２０３へ出力するパケットを変更させる。これにより、出力手段２０４からは、ストリーム選択手段２０６によって選択された特典映像ストリームが出力される。
なお、再生ストリームリスト記憶手段２０９に格納された複数のリストは、再生ストリームリスト取得手段２０７が、ストリーム切り替え検出情報に含まれた再生ストリームリストから取得して格納したものである。
【００３３】
次に、図３を参照して、ストリーム受信手段２０１が受信するＴＳ（トランスポートストリーム）の構造例について説明する。
例えば、フジテレビが放送する番組Ａ（番組ＩＤを有している）は、図１（ａ）で示したように、本編ストリーム（ａ−１，ａ−３，ａ−５の時間帯に設定）と、ＣＭストリーム（ａ−２，ａ−４の時間帯に設定）と、再生ストリームリストが含まれるストリーム切り替え検出情報（ａ−６の時間帯に設定）から構成されている。
本編ストリーム（ａ−１の時間帯に設定）は、本編ストリーム（ａ−１の時間帯に設定）に関するＰＭＴ（プログラムマップテーブル）のデータ（ＰＭＴａ−１），映像データ（Ｄｖ−ａ１），音声データ（Ｄａ−ａ１）から構成され、また本編ストリーム（ａ−３の時間帯に設定）は、本編ストリーム（ａ−３の時間帯に設定）に関するＰＭＴ（プログラムマップテーブル）のデータ（ＰＭＴａ−３），映像データ（Ｄｖ−ａ３），音声データ（Ｄａ−ａ３）から構成され、また本編ストリーム（ａ−５の時間帯に設定）は、本編ストリーム（ａ−５の時間帯に設定）に関するＰＭＴ（プログラムマップテーブル）のデータ（ＰＭＴａ−５），映像データ（Ｄｖ−ａ５），音声データ（Ｄａ−ａ５）から構成されている。なお、ＰＭＴ（プログラムマップテーブル）は、スランスポートストリーム（ＴＳ）で規定されるテーブル情報の一つである。
【００３４】
また、ＣＭストリーム（ａ−２の時間帯に設定）は、ＣＭストリーム（ａ−２の時間帯に設定）に関するＰＭＴ（プログラムマップテーブル）のデータ（ＰＭＴａ−２），映像データ（Ｄｖ−ａ２），音声データ（Ｄａ−ａ２），ＣＭ視聴確認用ストリームイベントを示すＣＭ再生検出情報（ＣＭＩｎｆｏ−ａ２）から構成され、またＣＭストリーム（ａ−４の時間帯に設定）は、ＣＭストリーム（ａ−４の時間帯に設定）に関するＰＭＴ（プログラムマップテーブル）のデータ（ＰＭＴａ−４），映像データ（Ｄｖ−ａ４），音声データ（Ｄａ−ａ４），ＣＭ再生検出情報（ＣＭＩｎｆｏ−ａ４）から構成されている。ＣＭ再生検出情報（ＣＭＩｎｆｏ−ａ２，ＣＭＩｎｆｏ−ａ４）は、ＣＭストリーム（ａ−２，ａ−４の時間帯に設定）に同期して、一定間隔毎に存在している。
そして、ストリーム切り替え検出情報（ａ−６の時間帯に設定）は、ストリーム切り替え検出情報（ａ−６の時間帯に設定）に関するＰＭＴ（プログラムマップテーブル）のデータ（ＰＭＴａ−６），特典映像ストリームＡに関する映像データ（Ｄｖ−ａ６），特典映像ストリームＡに関する音声データ（Ｄａ−ａ６），ストリーム切り替え検出情報（ＥＸＩｎｆｏ−ａ６），特典映像ストリームＢに関する映像データ（Ｄｖ−ａ６−１），特典映像ストリームＢに関する音声データ（Ｄａ−ａ６−１），特典映像ストリームＣに関する映像データ（Ｄｖ−ａ６−２），特典映像ストリームＣに関する音声データ（Ｄａ−ａ６−２）から構成されている。ストリーム切り替え検出情報（ａ−６の時間帯に設定）は、特典映像ストリームＡ，Ｂ，Ｃに同期して、特典映像ストリームＡ，Ｂ，Ｃの開始時に存在している。
【００３５】
また同じ時間帯において、例えば日本テレビが放送する番組Ｂ（番組ＩＤを有している）も、番組Ａと同様に本編ストリーム（ｂ−１，ｂ−３，ｂ−５の時間帯に設定）と、ＣＭストリーム（ｂ−２，ｂ−４の時間帯に設定）と、再生ストリームリストが含まれるストリーム切り替え検出情報（ｂ−６の時間帯に設定）から構成されている。
【００３６】
ＰＭＴ（プログラムマップテーブル）のデータ構造については、図４に示すように、例えば、ＣＭストリーム（ａ−２の時間帯に設定）に関するＰＭＴ（プログラムマップテーブル）のデータ（ＰＭＴａ−２）構造であれば、チャンネルを示すプログラム番号（０ｘ２３），映像データ（Ｄｖ−ａ２）のパケットＩＤ（０ｘ１２０１），音声データ（Ｄｖ−ａ２）のパケットＩＤ（０ｘ１３０１），プライベート・セクションの領域に設けられたＣＭ再生検出情報（ＣＭＩｎｆｏ−ａ２）のパケットＩＤ（０ｘ１５０１）から構成されている。
そのうち、ＣＭ再生検出情報（ＣＭＩｎｆｏ−ａ２）のデータ構造は、図５に示すように、ＣＭを特定するＣＭのＩＤ（０ｘ１２３４）とスポンサー識別子からなる。
【００３７】
次に、ストリーム切り替え検出情報（ＥＸＩｎｆｏ−ａ６）のデータ構造は、図６に示すように、番組のＩＤに対応して設定され、例えば、番組ＩＤ（０ｘ１２３４）の場合、視聴者によるＣＭ視聴回数が５回以下であれば、特典映像として取得先が現ＴＳで、映像のパケットＩＤ（０ｘ１２０１），音声のパケットＩＤ（０ｘ１３０１）で特定されるストリームＣに切り替えられ、また、視聴者によるＣＭ視聴回数が６回〜２０回であれば、特典映像として取得先が現ＴＳで、映像のパケットＩＤ（０ｘ１２０２），音声のパケットＩＤ（０ｘ１３０２）で特定されるストリームＢに切り替えられ、さらに、視聴者によるＣＭ視聴回数が２１回以上であれば、特典映像として取得先がＵＲＬ（ｗｗｗ．ａｓａｈｉ．ｃｏ．ｊｐ）で、映像のパケットＩＤ（０ｘ１２０３），音声のパケットＩＤ（０ｘ１３０３）で特定されるストリームＡに切り替えられるように条件が定められている。なお、ストリーム切り替え検出情報（ＥＸＩｎｆｏ−ａ６）も、ＣＭ再生検出情報と同様に、プライベート・セクションの領域に設けられている。
【００３８】
また、視聴履歴作成手段２０５によって作成される視聴履歴のデータ構造は、図７に示すように、番組のＩＤに対応してＣＭの視聴回数が書き込まれるようになっている。ここでは、現在のところ、番組ＩＤ（０ｘ１２３４）の視聴回数は５回で、番組ＩＤ（０ｘ２６７７）の視聴回数は９２回であることを示している。
【００３９】
また、再生ストリームリスト取得手段２０７によって取得された再生ストリームリストのデータ構造は、図８に示すようになっている。すなわち、本実施形態では、再生ストリームリスト取得手段２０７は、ストリーム切り替え検出情報から再生ストリームリストを取得するので、再生ストリームリストの内容は、図６で示したストリーム切り替え検出情報の内容と同じであり、放送日時に対応して格納されている。
【００４０】
次に、図９に示すフローチャートを参照して、ＣＭの視聴履歴に応じてストリームを切替える処理について具体的に説明する。
ストリーム受信手段２０１が、番組ストリームを受信すると、ＴＳデコード手段２０２は、ＴＳをデコードする（ステップ（以下、括弧内では「ステップ」という語を省略する）９０１）。そして、映像および／または音声のパケットをＡＶデコード手段２０３に出力する（９０２）。これによって、ＡＶデコード処理が行われ、その内容が出力手段２０４から出力される。
そして、ＴＳデコード手段２０２は、ＰＭＴ（プログラムマップテーブル）にプライベート・セクションが含まれるか否か判断し（９０３）、含まれているとそのプライベート・セクションを取得し（９０４）、プライベート・セクション内の情報種別がＣＭ再生検出情報か、ストリーム切り替え検出情報かを判断する（９０５，９０６）。
【００４１】
その結果、情報種別がＣＭ再生検出情報であると判断されると、ＴＳデコード手段２０２は、ＣＭ再生検出情報を視聴履歴作成手段２０５に出力する（９０７）。
これに対応して、視聴履歴作成手段２０５は、ＴＳの番組ＩＤを抽出し（９０８）、視聴履歴からその番組ＩＤに関するＣＭの視聴回数を読出し（９０９）、視聴回数を１イクレメントし（９１０）、視聴履歴に当該番組ＩＤに関するＣＭの視聴回数としての書き込みを行う（９１１）。そして、ステップ９０１に戻る。
【００４２】
一方、ステップ９０６で、情報種別がストリーム切り替え検出情報であると判断されると、ＴＳデコード手段２０２は、ストリーム切り替え検出情報をストリーム選択手段２０６に出力する（９１２）。
これに対応して、ストリーム選択手段２０６は、ストリーム切り替え検出情報から再生ストリームリストと番組のＩＤを抽出し（９１３）、視聴履歴からその番組ＩＤに関するＣＭの視聴回数を読出し（９１４）、再生ストリームリストから視聴回数に対応した再生ストリームを検索し（９１５）、ＴＳデコード手段２０２に、ＡＶデコード手段２０３に出力するパケットの変更を指示する（９１６）。
【００４３】
これによって、ＡＶデコード処理が行われ、視聴回数に対応してストリーム選択手段２０６によって選択された特典映像に関するストリームが出力手段２０４から出力される。すなわち、本実施形態の例にしたがって、番組ＩＤ（０ｘ１２３４）の場合、ＣＭの視聴回数が５回以下であれば、特典映像として、ストリームＣが出力され、また視聴回数が６回〜２０回であれば、特典映像として、ストリームＢが出力され、さらに視聴回数が２１回以上であれば、特典映像として、ストリームＡが出力される。
よって、視聴者がＣＭを視聴すればするほど、視聴者にとって嬉しい特典映像を与えるようにすることによって、視聴者のＣＭ離れを阻止することができる。
【００４４】
なお、本実施形態では、再生ストリームリスト取得手段２０７は、再生ストリームリスト（特典映像リスト）を、ストリーム切り替え検出情報に含まれた再生ストリームリストから取得して再生ストリームリスト記憶手段２０９に格納するようにしたが、これに限定されることなく、例えば、図１０に示すように、ストリーム（本編ストリームおよび／またはＣＭストリーム）の中に直接含まれた再生ストリームリストから取得し、再生ストリームリスト記憶手段２０９に格納するようにしてよい。さらには、図１１に示すように、ＳＤカードメモリなどの外部Ｉ／Ｆ手段１１０１を介して、外部記憶装置やインターネット通信により取得し、再生ストリームリスト記憶手段２０９に格納するようにしてもよい。これによれば、特典映像リストを、外部記憶メモリや通信により外部から取得することもできるので、特典映像リストを記録したＣＤなど記録媒体を雑誌の付録につけて販売したり、特典映像リストをネット経由で入手することによって、視聴者のニーズに合った多くの特典映像を提供することができ、視聴者が希望する特典映像を見るためにＣＭを視聴することにより、さらにＣＭ視聴率をあげることが可能となる。
【００４５】
また、図１２に示すように、時刻管理手段１２０１を設け、視聴履歴作成手段２０５は、ＣＭ再生検出情報の受信時刻について検出し、その受信時刻を視聴者のＣＭ視聴履歴に付加するようにしてもよく、これによれば、古いデータを抽出して削除することが可能である。
また、本実施形態では、視聴履歴作成手段２０５は、番組のＩＤに対応してＣＭ視聴履歴を作成するものであったが、例えば、半日、一日、一週間、あるいは特定の時間帯など、時間を区切り、視聴者が視聴したＣＭのスポンサー毎、より具体的には図５に示したスポンサー識別子毎にＣＭ視聴履歴を作成するようにしてもよく、これによれば、放送される全ＣＭを対象に特典映像ストリームを与えることができる。
【００４６】
（実施の形態２）
次に本発明の実施の形態２について、図１３乃至図１７を参照しながら説明する。
本発明の実施の形態２に係るデジタル放送受信装置及び受信方法は、実施の形態１で示した図１（ａ）に、複数の特典映像ストリームから視聴者のニーズに合った特典映像ストリームを選択するために、視聴者のニーズを入力させるためのタイミングを示唆する視聴者ニーズ入力検出情報をさらに加えたものであり、図１（ｂ）に示すように、各テレビ局から送信されるデジタル放送において、映像、音声、データを受信するもので、本編ストリーム（ｃ−１，ｃ−３，ｃ−５の時間帯に設定）とＣＭストリーム（ｃ−４の時間帯に設定）に、視聴者ニーズ入力検出情報のストリーム（ｃ−２の時間帯に設定）が組み込まれて構成される番組Ｃにおいて、番組の最後にストリーム切り替え検出情報がきたときに、ＣＭの視聴頻度と視聴者ニーズに対応して特典映像としてストリームＡ，Ｂ，Ｃ，Ｄ，Ｅ，Ｆの中からストリームを選択して再生するものである。
【００４７】
また本発明の実施の形態２に係るデジタル放送受信装置は、図２に示した、実施の形態１に係るデジタル放送受信装置と同様に、ストリーム受信手段２０１，ＴＳデコード手段２０２，ＡＶデコード手段２０３，出力手段２０４，視聴履歴作成手段（ＣＭ視聴履歴作成手段）２０５，ストリーム選択手段２０６，再生ストリームリスト取得手段２０７，視聴履歴が格納された視聴履歴記憶手段２０８，再生ストリームリスト（特典映像リスト）が格納された再生ストリームリスト記憶手段２０９から構成されている。
そして、特に、ＴＳデコード手段２０２は、特典映像を選択する時の条件として利用する視聴者ニーズ入力検出情報を取得し、本編ストリーム再生中に視聴者ニーズ入力検出情報を検知すると、視聴者が視聴者ニーズ情報を入力するための視聴者ニーズ入力手段を備え、またストリーム選択手段２０６は、ストリーム切り替え検出情報を検知すると、ＣＭ視聴履歴の視聴回数と視聴者ニーズ情報により選択できる複数のストリームを登録している特典映像リストから該当ストリームを選択し、そのリストに対応する特典映像ストリームを再生させる。
【００４８】
番組ＣのＴＳ（トランスポートストリーム）のデータ構造は、例えば図１３で示すようになっている。
図１（ｂ）で示したように、本編ストリーム（ｃ−１の時間帯に設定）は、本編ストリーム（ｃ−１の時間帯に設定）に関するＰＭＴ（プログラムマップテーブル）のデータ（ＰＭＴｃ−１），映像データ（Ｄｖ−ｃ１），音声データ（Ｄａ−ｃ１）から構成され、また本編ストリーム（ｃ−３の時間帯に設定）は、本編ストリーム（ｃ−３の時間帯に設定）に関するＰＭＴ（プログラムマップテーブル）のデータ（ＰＭＴｃ−３），映像データ（Ｄｖ−ｃ３），音声データ（Ｄａ−ｃ３）から構成され、また本編ストリーム（ｃ−５の時間帯に設定）は、本編ストリーム（ｃ−５の時間帯に設定）に関するＰＭＴ（プログラムマップテーブル）のデータ（ＰＭＴｃ−５），映像データ（Ｄｖ−ｃ５），音声データ（Ｄａ−ｃ５）から構成されている。また、ＣＭストリーム（ｃ−４の時間帯に設定）は、ＣＭストリーム（ｃ−４の時間帯に設定）に関するＰＭＴ（プログラムマップテーブル）のデータ（ＰＭＴｃ−４），映像データ（Ｄｖ−ｃ４），音声データ（Ｄａ−ｃ４），ＣＭ視聴確認用ストリームイベントを示すＣＭ再生検出情報（ＣＭＩｎｆｏ−ｃ４）から構成されている。
また、視聴者ニーズ入力検出情報のストリーム（ｃ−２の時間帯に設定）は、視聴者ニーズ入力検出情報のストリーム（ｃ−２の時間帯に設定）に関するＰＭＴ（プログラムマップテーブル）のデータ（ＰＭＴｃ−２），映像データ（Ｄｖ−ｃ２），音声データ（Ｄａ−ｃ２），視聴者ニーズ入力検出情報（ＵｓｅｒＩｎｆｏ−ｃ２）から構成されている。なお、視聴者ニーズ入力検出情報（ＵｓｅｒＩｎｆｏ−ｃ２）は、本編ストリームに同期して、本編ストリームのある一定区間内において存在している。
【００４９】
そして、ストリーム切り替え検出情報（ｃ−６の時間帯に設定）は、ストリーム切り替え検出情報（ｃ−６の時間帯に設定）に関するＰＭＴ（プログラムマップテーブル）のデータ（ＰＭＴｃ−６），特典映像ストリームＡに関する映像データ（Ｄｖ−ｃ６−１），特典映像ストリームＡに関する音声データ（Ｄａ−ｃ６−１），ストリーム切り替え検出情報（ＥＸＩｎｆｏ−ｃ６），特典映像ストリームＢに関する映像データ（Ｄｖ−ｃ６−２），特典映像ストリームＢに関する音声データ（Ｄａ−ｃ６−２），特典映像ストリームＣに関する映像データ（Ｄｖ−ｃ６−３），特典映像ストリームＣに関する音声データ（Ｄａ−ｃ６−３），特典映像ストリームＤに関する映像データ（Ｄｖ−ｃ６−４），特典映像ストリームＤに関する音声データ（Ｄａ−ｃ６−４），特典映像ストリームＥに関する映像データ（Ｄｖ−ｃ６−５），特典映像ストリームＥに関する音声データ（Ｄａ−ｃ６−５），特典映像ストリームＦに関する映像データ（Ｄｖ−ｃ６−６），特典映像ストリームＦに関する音声データ（Ｄａ−ｃ６−６）から構成されている。なお、ストリーム切り替え検出情報（ｃ−６の時間帯に設定）は、特典映像ストリームＡ，Ｂ，Ｃ，Ｄ，Ｅ，Ｆに同期して、特典映像ストリームＡ，Ｂ，Ｃ，Ｄ，Ｅ，Ｆの開始時に存在している。
【００５０】
視聴者ニーズ入力検出情報（ＵｓｅｒＩｎｆｏ−ｃ２）は、プライベート・セクションの領域に設けられ、そのデータ構造は、図１４に示すように、タイトル（例えば、プロ野球中継の場合に試合をしているチームのうち、応援チーム選択）と選択される候補数（２）とその候補の内容（例えば、「１」を阪神，「２」を巨人）から構成されている。
なお、視聴者による条件入力の画面は、例えば、図１７に示すようになっていて、視聴者はリモコンによって選択することができる。
【００５１】
そして、ストリーム切り替え検出情報（ＥＸＩｎｆｏ−ｃ６）のデータ構造は、図１５に示すように、番組のＩＤに対応して、ＣＭ視聴回数と視聴者ニーズ入力の内容の組み合せによって設定され、例えば、視聴者ニーズ入力が未入力で、かつ視聴者によるＣＭ視聴回数が５回以下であれば、特典映像として、映像のパケットＩＤ（０ｘ１２０１），音声のパケットＩＤ（０ｘ１３０１）で特定されるストリームＡに切り替えられ、また、視聴者ニーズ入力が候補「１」の阪神で、かつ視聴者によるＣＭ視聴回数が５回以下であれば、特典映像として、映像のパケットＩＤ（０ｘ１２０２），音声のパケットＩＤ（０ｘ１３０２）で特定されるストリームＢに切り替えられ、また、視聴者ニーズ入力が候補「２」の巨人で、かつ視聴者によるＣＭ視聴回数が５回以下であれば、特典映像として、映像のパケットＩＤ（０ｘ１２０３），音声のパケットＩＤ（０ｘ１３０３）で特定されるストリームＣに切り替えられる。また、視聴者ニーズ入力が未入力で、かつ視聴者によるＣＭ視聴回数が６回以上であれば、特典映像として、映像のパケットＩＤ（０ｘ１２０４），音声のパケットＩＤ（０ｘ１３０４）で特定されるストリームＤに切り替えられ、また、視聴者ニーズ入力が候補「１」の阪神で、かつ視聴者によるＣＭ視聴回数が６回以上であれば、特典映像として、映像のパケットＩＤ（０ｘ１２０５），音声のパケットＩＤ（０ｘ１３０５）で特定されるストリームＥに切り替えられ、また、視聴者ニーズ入力が候補「２」の巨人で、かつ視聴者によるＣＭ視聴回数が６回以上であれば、特典映像として、映像のパケットＩＤ（０ｘ１２０６），音声のパケットＩＤ（０ｘ１３０６）で特定されるストリームＦに切り替えられる。
【００５２】
次に、図１６に示すフローチャートを参照して、ＣＭの視聴履歴と視聴者ニーズ入力検出情報に応じてストリームを切替える処理について具体的に説明する。
ストリーム受信手段２０１が、番組ストリームを受信すると、ＴＳデコード手段２０２は、ＴＳをデコードする（９０１）。そして、映像および／または音声のパケットをＡＶデコード手段２０３に出力する（９０２）。これによって、ＡＶデコード処理が行われ、その内容が出力手段２０４から出力される。
そして、ＴＳデコード手段２０２は、ＰＭＴ（プログラムマップテーブル）にプライベート・セクションが含まれるか否か判断し（９０３）、含まれているとそのプライベート・セクションを取得し（９０４）、プライベート・セクション内の情報種別がＣＭ再生検出情報か、視聴者ニーズ入力検出情報か、ストリーム切り替え検出情報かを判断する（９０５，１６０１，１６０７）。
【００５３】
その結果、情報種別がＣＭ再生検出情報であると判断されると、ＴＳデコード手段２０２は、ＣＭ再生検出情報を視聴履歴作成手段２０５に出力する（９０７）。
これに対応して、視聴履歴作成手段２０５は、ＴＳから番組のＩＤを抽出し（９０８）、視聴履歴からその番組のＩＤに関するＣＭの視聴回数を読出し（９０９）、視聴回数を１イクレメントし（９１０）、視聴履歴に当該番組ＩＤに関するＣＭの視聴回数としての書き込みを行う（９１１）。そして、ステップ９０１に戻る。
【００５４】
一方、ステップ１６０１で、情報種別が視聴者ニーズ入力検出情報であると判断されると、ＴＳデコード手段２０２は、視聴者ニーズ入力検出情報を視聴履歴作成手段２０５に出力する（１６０２）。
これに対応して、視聴履歴作成手段２０５は、視聴者ニーズ入力検出情報から入力情報を抽出し（１６０３）、視聴履歴から入力候補を読出し（１６０４）、視聴者入力を行い（１６０５）、視聴履歴に視聴者が選択した入力候補（例えば、「１」阪神，「２」巨人）の書き込みを行う（１６０６）。そして、ステップ９０１に戻る。
【００５５】
一方、ステップ１６０７で、情報種別がストリーム切り替え検出情報であると判断されると、ＴＳデコード手段２０２は、ストリーム切り替え検出情報をストリーム選択手段２０６に出力する（１６０８）。
これに対応して、ストリーム選択手段２０６は、ストリーム切り替え検出情報から再生ストリームリストと番組のＩＤとさらに入力情報を抽出し（１６０９）、視聴履歴からその番組のＩＤに関するＣＭ視聴回数と入力情報を読出し（１６１０）、再生ストリームリストから視聴回数と入力情報に対応した再生ストリームを検索し（１６１１）、ＴＳデコード手段２０２に、ＡＶデコード手段２０３に出力するパケットの変更を指示する（１６１２）。
【００５６】
これによって、ＡＶデコード処理が行われ、視聴回数と入力情報に対応してストリーム選択手段２０６によって選択された特典映像に関するストリームが出力手段２０４から出力される。すなわち、本実施形態の例にしたがって、番組ＩＤ（０ｘ１２３４）の場合、入力情報が未入力でＣＭの視聴回数が５回以下であれば、特典映像として、ストリームＡが出力され、また入力情報が阪神で視聴回数が５回以下であれば、特典映像として、ストリームＢが出力され、さらに入力情報が巨人で視聴回数が５回以下であれば、特典映像として、ストリームＣが出力される。また、入力情報が未入力で視聴回数が６回以上であれば、特典映像として、ストリームＤが出力され、また入力情報が阪神で視聴回数が６回以上であれば、特典映像として、ストリームＥが出力され、さらに入力情報が巨人で視聴回数が６回以上であれば、特典映像として、ストリームＦが出力される。
よって、視聴者がＣＭを視聴すればするほど、視聴者にとって視聴者ニーズに沿った嬉しい特典映像、例えば、阪神ファンには、試合後の阪神のチームあるいは選手に関する映像、巨人ファンには、試合後の巨人のチームあるいは選手に関する映像を与えるようにすることによって、視聴者のＣＭ離れをより一層阻止することができる。
【００５７】
なお、実施の形態１では、ＣＭの視聴回数を５回以下と６回〜２０回と２１回以上の３通りにし、これに対応した３通りの特典映像ストリームＡ，Ｂ，Ｃを提供するようにし、また実施の形態２では、ＣＭの視聴回数を５回以下と６回以上の２通り、入力情報を、未入力，阪神，巨人の３通りにして、これらから６通りの組み合わせに対応した特典映像ストリームＡ，Ｂ，Ｃ，Ｄ，Ｅ，Ｆを提供するようにしたが、組み合せの数や回数は限定されるものではなく、種々考えられる。
また、実施の形態１，２では図１で示したように、番組の最後を複数の特典映像ストリームで番組ストリームを構成したが、特に最後に限定されるものではなく、番組の一部が複数の特典映像ストリームで構成されていればよい。
【００５８】
（実施の形態３）
次に本発明の実施の形態３について、図１８を参照しながら説明する。
本発明の実施の形態３に係る録画再生装置は、デジタル放送において、映像、音声、データを録画するものであり、実施の形態１に関する図２で示した構成のうち、再生ストリームリスト取得手段２０７にかえて、読出し手段１８０１とストレージ１８０２を備え、ストリーム受信手段２０１を取り除いたものである。
そして、読出し手段１８０１は、ＤＶＤやＢＤ（Ｂｌｕ−ｒａｙ  Ｄｉｓｃ）などに記憶されたストリームを読み出すものであり、本編ストリームとＣＭストリームと特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出す。
【００５９】
そして読み出し手段１８０１で読み出されたＣＭ再生検出情報と、特典映像ストリームの切り替えタイミングを特定するストリーム切り替え検出情報は、ＴＳデコード手段２０２に送られ、情報の内容が抽出される。視聴履歴作成手段２０５は、ＣＭストリームを再生する毎にＣＭ再生検出情報を検知し、ＣＭ視聴履歴を作成する。また、ストリーム選択手段２０６は、ストリーム切り替え検出情報を検知すると、ＣＭ視聴履歴の視聴回数により選択できる複数ストリームが記憶されている再生ストリームリスト記憶手段２０９内の再生ストリームリスト（特典映像リスト）から該当リストを選択し、そのリストに対応する特典映像ストリームをＴＳデコード手段２０２からＡＶデコード手段２０３，出力手段２０４に送り再生させる。
【００６０】
これによれば、ストレージ１８０２から番組ストリームを再生するときに、視聴者がＣＭを早送りした場合には、早送りの開始と終了は視聴履歴作成手段２０５に伝えられ、それに対応して、視聴履歴作成手段２０５は、早送り中であればＣＭ再生検出情報の検出を行わないようになっている。よって、ＣＭ視聴履歴は更新されないので、付加価値の高い特典映像ストリームを視聴者は視聴することができなくなる。したがって、録画再生装置において、視聴者によるＣＭ早送りを防止することによりＣＭ離れをより阻止することができる。
【００６１】
（実施の形態４）
次に本発明の実施の形態４について、図１９を参照しながら説明する。
本発明の実施の形態４に係るデジタル放送受信装置は、実施の形態１と同様に、デジタル放送において、映像、音声、データを受信するものであり、実施の形態１に関する図２で示した構成のうち、再生ストリームリスト取得手段２０７にかえて、読出し手段１８０１とストレージ１８０２と更に録画手段１９０１を備えたものである。
そして、録画手段１９０１は、ストリーム受信手段２０１が受信した、本編ストリームとＣＭストリームと特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを録画し、ＤＶＤやＢＤ（Ｂｌｕ−ｒａｙ  Ｄｉｓｃ）などに記憶する。また、読出し手段１８０１は、ＤＶＤやＢＤ（Ｂｌｕ−ｒａｙ  Ｄｉｓｃ）などに記憶されたストリームを読み出すものであり、本編ストリームとＣＭストリームと特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを読み出す。
【００６２】
そして読み出し手段１８０１で読み出されたＣＭ再生検出情報と、特典映像ストリームの切り替えタイミングを特定するストリーム切り替え検出情報は、ＴＳデコード手段２０２に送られ、情報の内容が抽出される。視聴履歴作成手段２０５は、ＣＭストリームを再生する毎にＣＭ再生検出情報を検知し、ＣＭ視聴履歴を作成する。また、ストリーム選択手段２０６は、ストリーム切り替え検出情報を検知すると、ＣＭ視聴履歴の視聴回数により選択できる複数ストリームが記憶されている再生ストリームリスト記憶手段２０９内の再生ストリームリスト（特典映像リスト）から該当リストを選択し、そのリストに対応する特典映像ストリームをＴＳデコード手段２０２からＡＶデコード手段２０３，出力手段２０４に送り再生させる。
【００６３】
このように、デジタル放送受信装置に録画機能を組み込ませることもできる。
【産業上の利用可能性】
【００６４】
本発明にかかるデジタル放送受信装置、デジタル放送送信装置、受信方法、および録画再生装置は、ＣＭ視聴回数に対応して視聴者が見たがっている特典映像ストリームを視聴者に提供するものに適用しうる。
【図面の簡単な説明】
【００６５】
【図１】再生ストリーム概略図。
【図２】本発明の実施形態１に係る概略構成図。
【図３】ＴＳのデータ構造を示す模式図。
【図４】ＰＭＴのデータ構造を示す模式図。
【図５】ＣＭ再生検出情報のデータ構造を示す模式図。
【図６】ストリーム切り替え検出情報  のデータ構造を示す模式図。
【図７】視聴履歴のデータ構造を示す模式図。
【図８】再生ストリームリストのデータ構造を示す模式図。
【図９】ＣＭの視聴履歴に応じてストリームを切り替える処理を示すフローチャート。
【図１０】本発明の実施形態１に係る他の概略構成図。
【図１１】本発明の実施形態１に係る他の概略構成図。
【図１２】本発明の実施形態１に係る他の概略構成図。
【図１３】本発明の実施形態２に係るＴＳのデータ構造を示す模式図。
【図１４】本発明の実施形態２に係る視聴者ニーズ入力検出情報のデータ構造を示す模式図。
【図１５】本発明の実施形態２に係るストリーム切り替え検出情報のデータ構造を示す模式図。
【図１６】視聴者の条件を入力して、ストリームを切り替える処理を示すフローチャート。
【図１７】視聴者による条件入力の画面例を示す図。
【図１８】本発明の実施形態３に係る概略構成図。
【図１９】本発明の実施形態４に係る概略構成図。
【符号の説明】
【００６６】
２０１    ストリーム受信手段
２０２    ＴＳデコード手段（ＴＳ解析手段）
２０３    ＡＶデコード手段
２０４    出力手段
２０５    視聴履歴作成手段（ＣＭ視聴履歴作成手段）
２０６    ストリーム選択手段
２０７    再生ストリームリスト取得手段
２０８    視聴履歴記憶手段
２０９    再生ストリームリスト記憶手段
１１０１    外部Ｉ／Ｆ手段
１２０１    時刻管理手段
１８０１    読出し手段
１８０２    ストレージ
１９０１    録画手段
【図１】
2005204233.tif 000003
【図２】
2005204233.tif 000004
【図３】
2005204233.tif 000005
【図４】
2005204233.tif 000006
【図５】
2005204233.tif 000007
【図６】
2005204233.tif 000008
【図７】
2005204233.tif 000009
【図８】
2005204233.tif 000010
【図９】
2005204233.tif 000011
【図１０】
2005204233.tif 000012
【図１１】
2005204233.tif 000013
【図１２】
2005204233.tif 000014
【図１３】
2005204233.tif 000015
【図１４】
2005204233.tif 000016
【図１５】
2005204233.tif 000017
【図１６】
2005204233.tif 000018
【図１７】
2005204233.tif 000019
【図１８】
2005204233.tif 000020
【図１９】
2005204233.tif 000021